(57)【要約】  複数の発光要素３を支持するように構成されており、電力を複数の発光要素３に提供するように構成された少なくとも１つの細長い担体２、８を備える照明モジュール１が開示される。複数の発光要素３は、少なくとも、複数の発光要素を含む第１のセット、及び複数の発光要素を含む第２のセットを含む。照明モジュール１は、少なくとも１つの細長い担体２、８に結合されており、電力を供給された時に発光要素の第１のセットから放射された光、及び電力を供給された時に発光要素の第２のセットから放射された光をそれぞれ受光し、受光された光を拡散及び／又は散乱させることによって、受光された光を混合し、混合された光を出力するように構成された少なくとも１つの光学要素４を備える。
2021519503.tif 000002
【特許請求の範囲】
【請求項１】
照明モジュールであって、
複数の発光要素を支持するように各々構成されており、電力を前記複数の発光要素に提供するように構成された少なくとも第１の細長い担体及び第２の細長い担体であって、前記複数の発光要素は、少なくとも前記第１の細長い担体上で支持された前記複数の発光要素の第１のセット、及び前記第２の細長い担体上で支持された前記複数の発光要素の第２のセットを含む、少なくとも第１の細長い担体及び第２の細長い担体と、
前記少なくとも第１の細長い担体及び前記少なくとも第２の細長い担体にそれぞれ結合された少なくとも第１の光学要素及び第２の光学要素であって、電力が供給された時に発光要素の前記第１のセットから放射された光を受光し、電力が供給された時に発光要素の前記第２のセットから放射された光をそれぞれ受光するように構成されている第１の光学要素及び第２の光学要素と、
を備え、
前記第１のセット及び前記第２のセットの前記発光要素、並びに前記少なくとも第１の光学要素及び第２の光学要素は、前記第１のセットの前記発光要素が光を放射しており、前記第２のセットの前記発光要素が光を放射していない時には、前記少なくとも第１の光学要素から出力される光が第１の波長範囲内にあり、かつ前記第２のセットの前記発光要素が光を放射しており、前記第１のセットの前記発光要素が光を放射していない時には、前記少なくとも第２の光学要素から出力される光が第２の波長範囲内にあるように構成されており、
前記第２の波長範囲は、前記第１の波長範囲とは異なる、
照明モジュール。
【請求項２】
前記第１のセット及び前記第２のセットの前記発光要素、並びに前記少なくとも第１の光学要素及び第２の光学要素は、前記第１のセットの前記発光要素が光を放射しており、前記第２のセットの前記発光要素が光を放射していない時には、前記少なくとも第１の光学要素から出力される光が白色光であり、かつ前記第２のセットの前記発光要素が光を放射しており、前記第１のセットの前記発光要素が光を放射していない時には、前記少なくとも第２の光学要素から出力される光が有色光であるように構成されている、請求項１に記載の照明モジュール。
【請求項３】
前記第１の細長い担体及び前記第２の細長い担体の各々は長手方向軸を有し、発光要素の前記第１のセットの前記発光要素は、前記第１の細長い担体の前記長手方向軸と平行な前記第１の細長い担体上の少なくとも１つの連続体に配置されており、発光要素の前記第２のセットの前記発光要素は、前記第２の細長い担体の前記長手方向軸と平行な前記第２の細長い担体上の少なくとも１つの連続体に配置されている、請求項１又は２に記載の照明モジュール。
【請求項４】
前記第１の細長い担体上の前記少なくとも１つの連続体に配置された発光要素の前記第１のセットの前記発光要素の全ては、電力が供給された時に、同じ波長範囲内の光を放射するように構成されており、又は
前記第１の細長い担体上の前記少なくとも１つの連続体に配置された発光要素の前記第１のセットの前記発光要素のうちの少なくとも１つは、電力が供給された時に、前記第１の細長い担体上の前記少なくとも１つの連続体に配置された発光要素の前記第１のセットのうちの少なくとも１つの他の発光要素とは異なる波長範囲内の光を放射するように構成されており、並びに／あるいは
前記第２の細長い担体上の前記少なくとも１つの連続体に配置された発光要素の前記第２のセットの前記発光要素の全ては、電力が供給された時に、同じ波長範囲内の光を放射するように構成されており、又は
前記第２の細長い担体上の前記少なくとも１つの連続体に配置された発光要素の前記第２のセットの前記発光要素のうちの少なくとも１つは、電力が供給された時に、前記第２の細長い担体上の前記少なくとも１つの連続体に配置された発光要素の前記第２のセットのうちの少なくとも１つの他の発光要素とは異なる波長範囲内の光を放射するように構成されている、
請求項３に記載の照明モジュール。
【請求項５】
発光要素の前記第１のセットの前記発光要素は、前記第１の細長い担体上の複数の連続体に配置されており、前記複数の連続体の各々は、前記第１の細長い担体の前記長手方向軸と平行であり、発光要素の前記第２のセットの前記発光要素は、前記第２の細長い担体上の複数の連続体に配置されており、前記複数の連続体の各々は、前記第２の細長い担体の前記長手方向軸に平行である、請求項３に記載の照明モジュール。
【請求項６】
前記第１の細長い担体及び／又は前記第２の細長い担体上の発光要素の前記複数の連続体のそれぞれ１つの内部にある前記発光要素の全ては、電力を供給された時に、同じ波長範囲内の光を放射するように構成されており、
前記第１の細長い担体及び／又は前記第２の細長い担体上の発光要素の前記複数の連続体のうちの異なる１つの内部にある前記発光要素は、電力を供給された時に、異なる波長範囲内の光を放射するように構成されている、
請求項５に記載の照明モジュール。
【請求項７】
発光要素の前記第１のセットの前記発光要素は、前記第１の細長い担体上の少なくとも３つの連続体に配置されており、前記少なくとも３つの連続体の各々は、前記第１の細長い担体の前記長手方向軸に平行であり、及び／又は発光要素の前記第２のセットの前記発光要素は、前記第２の細長い担体上の少なくとも３つの連続体に配置されており、前記少なくとも３つの連続体の各々は、前記第２の細長い担体の前記長手方向軸に平行であり、
前記第１の細長い担体又は前記第２の細長い担体上の発光要素の前記少なくとも３つの連続体のうちの異なる１つの内部にある前記発光要素は、電力を供給された時に、赤色、緑色、及び青色光をそれぞれ放射するように構成されている、
請求項６に記載の照明モジュール。
【請求項８】
前記第１の細長い担体上の発光要素の前記複数の連続体は、互いに対して千鳥状に構成されており、及び／又は
前記第２の細長い担体上の発光要素の前記複数の連続体は、互いに対して千鳥状に構成されている、請求項５乃至７の何れか一項に記載の照明モジュール。
【請求項９】
前記少なくとも１つの光学要素が、光散乱要素、ルミネッセント材料、又は自身に入射若しくは衝突する光を拡散及び／若しくは散乱させるように構成された材料のうちの少なくとも１つを含む、請求項１乃至８の何れか一項に記載の照明モジュール。
【請求項１０】
前記少なくとも１つの光学要素は、互いに光学的に相互接続された複数の光拡散層を含み、前記複数の光拡散層の各々は、自身に入射若しくは衝突する光を拡散及び／若しくは散乱させるように構成されており、
又は、
前記少なくとも１つの光学要素は、少なくとも１つの光透過層並びに少なくとも１つの光拡散及び／若しくは散乱層を含み、前記少なくとも１つの光透過層は、前記受光された光を混合する能力を有する前記受光された光のための光混合チャンバを形成するように構成されており、前記少なくとも１つの光拡散及び／若しくは散乱層は、前記光混合チャンバからの前記光を拡散及び／又は散乱させることによって、前記光混合チャンバ内で混合された前記受光された光を更に混合するように構成されている、請求項１乃至９の何れか一項に記載の照明モジュール。
【請求項１１】
前記照明モジュールは、少なくとも２つの細長い担体を備え、前記照明モジュールは、前記少なくとも２つの細長い担体の各々を結合し、かつ支持するように構成された結合担体を更に備える、請求項１乃至１０の何れか一項に記載の照明モジュール。
【請求項１２】
前記少なくとも１つの細長い担体は、前記少なくとも１つの細長い担体の第１の面において前記複数の発光要素を支持するように構成されており、電力を前記複数の発光要素に提供するための少なくとも１つの導電体が、前記少なくとも１つの細長い担体の第２の面に配置されている、請求項１乃至１１の何れか一項に記載の照明モジュール。
【請求項１３】
照明デバイスであって、
請求項１乃至１２の何れか一項に記載の照明モジュールと、
前記少なくとも１つの細長い担体に接続されており、前記複数の発光要素への電力供給を制御するように構成された制御ユニットであって、前記複数の発光要素への電力供給が前記制御ユニットによって、個々に、又はグループごとに制御可能である、制御ユニットと、
を備え、
前記制御ユニットは、電力供給を発光要素の前記第１のセット又は発光要素の前記第２のセットへ選択的に制御するが、発光要素の前記第１のセット及び発光要素の前記第２のセットの両方へ同時に制御しないように構成されている、照明デバイス。
【発明の詳細な説明】
【技術分野】
【０００１】
本発明は、照明モジュール、及びこのような照明モジュールを備える照明デバイスに関する。
【背景技術】
【０００２】
発光ダイオード（light-emitting diode、ＬＥＤ）に基づくいわゆるフィラメントランプが次第に普及してきている。ＬＥＤに基づく電球照明デバイスは、これらのＬＥＤランプが、しばしば、伝統的な白熱電球の外観を有し、従来のソケット等に装着されるよう設計されているため、一般に「レトロフィットランプ」と称されている。このようなＬＥＤに基づく電球照明デバイスにおいては、発光フィラメント電線が１つ以上のＬＥＤと置換されており、フィラメントと称してもよい発光フィラメント電線を模倣する構成に配置されている。フィラメントランプは、しばしば、家庭用照明適用物において、並びに、バー、レストラン、若しくはホテルなどにおける、業務用照明適用物において、雰囲気創出のために用いられる。フィラメントランプの初期のバージョンは、しばしば、単色の光を放射する能力しか有していなかった。現在は、２色の光（昼白色（flame white）及び電球色など）を放射する能力を有するフィラメントランプのバージョンが利用可能である。フィラメントランプは、しばしば、照明器具内の光源が観察者に直接見える、いわゆる開放照明器具において用いられる。しかし、多色フィラメントランプについては、ランプの色を混合するために、通常、拡散外球が必要とされるため、伝統的な白熱電球の外観を有するランプを達成することが困難になることがある。
【発明の概要】
【発明が解決しようとする課題】
【０００３】
フィラメントを有する透明電球における色混合は、しばしば、非常に困難である。電球の視覚的外観に影響を及ぼすことなくこれを行う手段はほとんど存在しない。個々の色点が色空間内で遠く離れており、わずかな色の変化でさえもユーザが容易に見分けることができるため、原色（例えば、Ｒ、Ｇ、Ｂ）の混合はとりわけ困難である。これは、特に、白色光を発生するために原色が用いられる時に当てはまる。人間の眼は、いわゆる黒体線（black body line、ＢＢＬ）の周りの小さな色の変化に対する感受性が非常に高く、色の変化がＢＢＬを横切る時にはなおいっそう高くなる。
【０００４】
以上の説明を考慮して、本発明の関心事は、色混合を達成するために拡散外球を全く又はあまり必要とすることなく、フィラメントランプ型のものなどの照明モジュール又は照明デバイスにおける色混合を促進することである。
【課題を解決するための手段】
【０００５】
この課題及び他の課題のうちの少なくとも１つに対処するために、独立請求項に記載の照明モジュールが提供される。従属請求項によって、好ましい実施形態が定義される。
【０００６】
本発明の第１の態様によれば、照明モジュールが提供される。照明モジュールは、複数の発光要素を（例えば、自身の上及び／又は内部において）支持するように構成されており、電力を複数の発光要素に提供するように構成された少なくとも１つの細長い担体を備える。複数の発光要素は、少なくとも、複数の発光要素を含む第１のセット、及び複数の発光要素を含む第２のセットを含む。照明モジュールは、少なくとも１つの細長い担体に結合されており、電力を供給された時に発光要素の第１のセットから放射された光、及び電力を供給された時に発光要素の第２のセットから放射された光をそれぞれ受光し、受光された光を拡散及び／又は散乱させることによって、受光された光を混合し、混合された光を出力するように構成された少なくとも１つの光学要素を備える。第１のセット及び第２のセットの発光要素、並びに少なくとも１つの光学要素は、第１のセットの発光要素が光を放射しており、第２のセットの発光要素が光を放射していない時には、少なくとも１つの光学要素から出力される光が（例えば、第１の色、若しくは白色光の）第１の波長範囲内にあるよう、並びに第２のセットの発光要素が光を放射しており、第１のセットの発光要素が光を放射していない時には、少なくとも１つの光学要素から出力される光が（例えば、第２の色、若しくは有色光の）第２の波長範囲内にあるように構成されており、第２の波長範囲は第１の波長範囲とは異なる。
【０００７】
複数の発光要素を支持するように構成された少なくとも１つの細長い担体は、例えば、発光フィラメント電線を模倣してもよい構成を形成することができ、これは、フィラメントと称することができる。
【０００８】
例えば、第１のセット及び第２のセットの発光要素、並びに少なくとも１つの光学要素は、第１のセットの発光要素が光を放射しており、第２のセットの発光要素が光を放射していない時には、少なくとも１つの光学要素から出力される光が白色光（例えば、「黒体線」（ＢＢＬ）上の光）であるよう、及び第２のセットの発光要素が光を放射しており、第１のセットの発光要素が光を放射していない時には、少なくとも１つの光学要素から出力される光が有色光（例えば、非白色光、「ＢＢＬ上」にない光）であるように構成してもよい。白色光は、例えば、（約）４４０ｎｍ〜（約）８００ｎｍの波長範囲内の波長を有してもよい。それゆえ、第１の波長範囲は、例えば、（約）４４０ｎｍ〜（約）８００ｎｍであってもよく、第２の波長は、第１の波長範囲の外部、又は場合によっては、第１の波長範囲と第２の波長範囲との間のいくらかの重複を有し、実質的に第１の波長範囲の外部にあってもよい。
【０００９】
それゆえ、第１のセットの発光要素及び第２のセットの発光要素は、例えば、白色光及び有色光などの、照明モジュールから放射される異なる光をそれぞれ発生するために用いてもよい。例えば、第１のセットの発光要素は、「ＢＢＬ上」にある照明モジュールから放射される光を発生するために用いてもよく、第２のセットの発光要素は、「ＢＢＬ外」にある照明モジュールから放射される光を発生するために用いてもよい。このように、有色光（例えば、ＲＧＢ光）を白色と混合する必要をほとんど、それどころか全くなくすことができ、これは、照明モジュール内における、第１のセットの発光要素及び第２のセットの発光要素によってそれぞれ放射された光の色混合を簡単にすることができる。上述したように、個々のカラーポイントが色空間内で遠く離れており、わずかな色の変化でさえもユーザによって容易に識別することができるため、原色（例えば、Ｒ、Ｇ、Ｂ）の混合はとりわけ困難であり、これは、特に、白色光を発生するために原色が用いられる時に言える。
【００１０】
それゆえ、照明モジュールにおける色混合は、第１のセット及び第２のセットの発光要素、並びに少なくとも１つの光学要素が、第１のセットの発光要素が光を放射しており、第２のセットの発光要素が光を放射していない時には、少なくとも１つの光学要素から出力される光が第１の波長範囲内にあるように、並びに第２のセットの発光要素が光を放射しており、第１のセットの発光要素が光を放射していない時には、少なくとも１つの光学要素から出力される光が第２の波長範囲内にあるように構成されていることによって促進することができる。照明モジュールは、当該モジュールの少なくとも１つの細長い担体を用いることよって、例えば、フィラメントランプ型のものであってもよく、このとき、それは、概して、以前の多色フィラメントランプにおいて色混合を達成するための要件である、色混合を達成するための拡散外球をごくわずかに必要とし、ましてや全く必要としなくてもよい。
【００１１】
照明モジュールにおける色混合は、互いに対する第１のセットの発光要素の適切な配置又は位置決めによって、並びに互いに対する第２のセットの発光要素の適切な位置決めによって更に促進することができる。例えば、各（又は当該）細長い担体は長手方向軸を有してもよい。発光要素の第１のセット及び発光要素の第２のセットの各々の発光要素は、細長い担体の長手方向軸に平行な、細長い担体上の少なくとも１つの連続体、又はいくつかの連続体に（例えば、少なくとも１つのストリング、若しくはいくつかのストリング内に）配置することができる。例えば、発光要素の第１のセットの発光要素は１つの連続体に配置してもよく、発光要素の第２のセットの発光要素は、発光要素の第１のセットの発光要素が配置された連続体に隣接することができる別の連続体に配置してもよい。別の実施例によれば、発光要素の第１のセットの発光要素及び発光要素の第２のセットの発光要素は、１つの連続体に配置することができる。
【００１２】
例えば、例として、発光要素の第１のセット又は第２のセットの発光要素の連続体（例えば、列、線、又はストリング）において、異なる色の光を放射する能力を有する発光要素が連続体に交互に配置されてもよい。例えば、連続体は、任意の順序による赤色、緑色、及び青色光の形態の光をそれぞれ放射する能力を有する３つの発光要素、場合によっては、それに続いて、赤色、緑色、及び青色光の形態の光をそれぞれ放射する能力を有する３つの発光要素の１つ以上のセットを含んでもよい。異なる色の光を放射する能力を有する発光要素を１つの連続体（例えば、列、線、又はストリング）に配置することによって、照明モジュールによって放射される光における角度的な色変化を低減し、ましてや解消することができる。
【００１３】
別の実施例によれば、発光要素の２つ以上の連続体（例えば、列、線、又はストリング）を、例えば、発光要素の第１のセット又は発光要素の第２のセット内に設けてもよい。発光要素の２つ以上の連続体は各々に隣接して位置決めしてもよく、互いに平行であるか、又は実質的に平行であってもよい。発光要素の連続体の各々において、発光要素は同じ色の光を放射する能力を有してもよい。例えば、例として、発光要素の第１のセット又は第２のセット内に、発光要素の少なくとも３つの連続体（例えば、列、線、又はストリング）を設けることができるであろう。発光要素の３つの連続体のうちの異なる１つにおいて、発光要素は、赤色、緑色、及び青色の光をそれぞれ放射する能力を有してもよい。即ち、発光要素の３つの連続体を設けてもよく、第１の連続体では、発光要素の全ては赤色の光を放射する能力を有してもよく、第２の連続体では、発光要素の全ては緑色の光を放射する能力を有してもよく、第３の連続体では、発光要素の全ては青色の光を放射する能力を有してもよい。発光要素の３つの連続体は、各々に隣接して位置決めしてもよく、互いに平行であるか、又は実質的に平行であってもよい。発光要素の連続体のうちのそれぞれ１つにおける発光要素の間のピッチ又は距離は、同じ、又は実質的に同じであってもよい。（発光要素の第１のセット内、又は発光要素の第２のセット内の）発光要素の３つの連続体の発光要素が互いにできるだけ接近して位置決めされるよう、発光要素の連続体は互いに対して千鳥状に構成してもよい。発光要素の３つの連続体の発光要素を互いにできるだけ接近して位置決めすることによって、（例えば、発光要素の第１のセット又は発光要素の第２のセット内の）発光要素の３つの連続体によって放射される光における色混合を促進することができる。場合によっては、例えば、発光要素がＬＥＤを含む場合、（例えば、発光要素の第１のセット又は発光要素の第２のセット内の）隣接する発光要素の間の距離は、（約）０．１ｍｍ〜（約）０．５ｍｍ、又は（約）０．１ｍｍ〜（約）０．２５ｍｍであってもよい。
【００１４】
少なくとも１つの光学要素は、例えば、複数の発光要素上、又は少なくとも発光要素の第１のセット及び発光要素の第２のセット上にそれぞれ（１つ以上の中間光学構成要素を介して、直接又は間接的に）配置してもよい。場合によっては、照明モジュールは、少なくとも第１の光学要素及び第２の光学要素を含む、複数の光学要素を備えてもよい。第１の光学要素は、電力を供給された時に発光要素の第１のセットから放射された光を受光し、受光された光を拡散及び／又は散乱させることによって、受光された光を混合し、混合された光を出力するように構成してもよい。第２の光学要素は、電力を供給された時に発光要素の第２のセットから放射された光を受光し、受光された光を拡散及び／又は散乱させることによって、受光された光を混合し、混合された光を出力するように構成してもよい。
【００１５】
少なくとも１つの光学要素、又は複数の光学要素の各々は、例えば、光散乱要素、ルミネッセント材料、又は自身に入射若しくは衝突する光を拡散及び／若しくは散乱させるように構成された材料のうちの少なくとも１つを含んでもよい。
【００１６】
例えば、光散乱要素は、光透過性基材内に埋め込まれているか、又は統合された光散乱粒子を含んでもよい。代替的に、又は加えて、自身に入射又は衝突する光を拡散及び／若しくは散乱させるように構成された光散乱要素、及び／若しくは材料は、Ａｌ２Ｏ３、ＢａＳＯ４及び／若しくはＴｉＯ２などの材料の層又はコーティングを含んでもよく、並びに／又は少なくとも１つの光学要素、若しくは複数の光学要素の各々の表面は、例えば、粗い構造を呈するよう、拡散性に形成しもよい。光散乱要素は、光を散乱させ、及び／又は光を任意の好ましい方向に向けるよう意図された、光学表面構造から作製することができる。
【００１７】
少なくとも１つの光学要素、又は複数の光学要素の各々は、例えば、互いに光学的に相互接続してもよい複数の光拡散層を含んでもよい。複数の光拡散層は、例えば、互いの上に配置してもよい（例えば積層される）。複数の光拡散層の各々は、自身に入射又は衝突する光を拡散及び／又は散乱させるように構成してもよい。光拡散層のそれぞれ又は何れかは、例えば、シリコン又は別の同様の材料から作製してもよい。光拡散層のそれぞれ又は何れかは、自身に入射又は衝突する光を異なる範囲又は程度で拡散及び／又は散乱させるように構成してもよい。それゆえ、このような複数の光拡散層の提供によって、少なくとも１つの光学要素、又は複数の光学要素の各々の、光を拡散及び／若しくは散乱させるための容量若しくは能力の調整を促進し、又は可能することができる。
【００１８】
少なくとも１つの光学要素、又は複数の光学要素の各々は、例えば、１つ以上の光透過層、並びに更なる光拡散及び／若しくは散乱層のうちの１つを含んでもよい。光拡散及び／又は散乱層のそれぞれ又は何れか１つは、自身に入射又は衝突する光を拡散及び／又は散乱させるように構成してもよい。光拡散及び／又は散乱層のそれぞれ又は何れかは、例えば、シリコン又は別の同様の材料で作製してもよい。光透過層のそれぞれ又は何れかは、原則的に、任意の適切な光透過性材料を含んでもよく、光を拡散及び／又は散乱させないよう、又はごくわずかに拡散及び／又は散乱させるように構成してもよい。１つ以上の光透過層、並びに更なる光拡散及び／若しくは散乱層のうちの１つは、互いに光学的に相互接続してもよく、例えば、任意の順序で、互いの上に配置してもよい（例えば、積層されている）。本発明の１つ以上の実施形態によれば、１つ以上の光透過層は、受光された光を混合する能力を有する受光された光のための光混合チャンバを形成するように構成してもよく、更なる光拡散及び／又は散乱層のうちの１つは、光混合チャンバからの光を拡散及び／又は散乱させることによって、光混合チャンバ内で混合された受光された光を更に混合するように構成されている。このような光混合チャンバを介して、照明モジュールにおける色混合を更に促進することができる。当該目的を達成するために、１つ以上の光透過層は、例えば、互いの上に配置されていること（例えば、積層されていること）によって、互いに光学的に相互接続してもよく、更なる光拡散及び／又は散乱層のうちの１つは、例えば、互いの上に配置されていること（例えば、積層されていること）によって、互いに光学的に相互接続してもよく、次に、光学的に相互接続された光透過層は、光学的に相互接続された光拡散及び／又は散乱層と光学的に相互接続してもよく、これにより、例えば、光透過層、及びそれに続く光拡散及び／又は散乱層の配列又は積層体を形成する。
【００１９】
少なくとも１つの光学要素、又は複数の光学要素の各々は、例えば、複数の発光要素、又は少なくとも発光要素の第１のセット及び発光要素の第２のセットをそれぞれ少なくとも部分的に囲んでもよい、封入材を含んでもよい。いくつかの封入材が存在してもよい。封入材のそれぞれ又は何れかは、例えば、シリコン又は別の同様の材料から作製してもよい。場合によっては、発光要素の第１のセットを少なくとも部分的に囲んでもよい、第１の封入材、及び発光要素の第２のセットを少なくとも部分的に囲んでもよい、第２の封入材を設けてもよい。
【００２０】
少なくとも１つの細長い担体は、例えば、例として、少なくとも１つのフレキシブルＰＣＢ及び／又は多層ＰＣＢなどの、少なくとも１つのプリント回路板（printed circuit board、ＰＣＢ）を含んでもよい。代替的に、又は加えて、少なくとも１つの細長い担体は、例えば、少なくとも１つのフレキシブル箔（例えば、「フレックスフォイル（flexfoil）」）を含んでもよい。このようなＰＣＢは、複数の発光要素を支持するように構成されているか、又は少なくとも、それぞれ、発光要素の第１のセット及び発光要素の第２のセット上にあり、発光要素の第１のセット及び発光要素の第２のセットに（例えば、当該技術分野において知られているように、１つ以上の導電性トラック又はトレースを介して）電力を提供してもよい。
【００２１】
複数の発光要素のそれぞれ又は何れか１つは、例えば、固体光エミッタを備えてもよく、又は固体光エミッタによって構成してもよい。固体光エミッタの例としては、発光ダイオード（ＬＥＤ）及び有機ＬＥＤ（organic LED；ＯＬＥＤ）が挙げられる。固体光エミッタは、一般に、比較的安価であり、比較的高い光学効率及び比較的長い寿命を有するため、比較的コスト効率が高い光源である。しかしながら、本出願の文脈では、用語「発光要素」とは、例えば、発光要素の両端間に電位差を印加するか又は電流を流すことによって作動されると、任意の領域又は領域の組み合わせの電磁スペクトル、例えば、可視領域、赤外領域、及び／又は紫外領域の放射線を放射することが可能な、実質的に任意のデバイス又は要素を意味するものと理解されたい。それゆえ、発光要素は、単色、準単色、多色、又は広帯域の、スペクトル放射特性を有し得る。発光要素の例としては、半導体、有機又はポリマー／高分子ＬＥＤ、紫色ＬＥＤ、青色ＬＥＤ、光励起蛍光体被覆ＬＥＤ、光励起ナノ結晶ＬＥＤ、又は、当業者によって容易に理解されるであろう任意の他の同様のデバイスが挙げられる。更には、発光要素という用語は、本発明の１つ以上の実施形態によれば、特定の発光要素が内部に位置決め又は配置されるハウジング若しくはパッケージと組み合わされている、放射線を放射する特定の発光要素の組み合わせを意味し得る。例えば、発光要素又は発光モジュールという用語は、ＬＥＤパッケージと称され得る、ハウジング内に配置されているベアＬＥＤダイを包含してもよい。別の実施例によれば、発光要素は、ＰＣＢなどの基板に、サブマウントを介さずに直接取り付けられているＬＥＤダイを有し得る、チップスケールパッケージ（Chip Scale Package、ＣＳＰ）ＬＥＤを含んでもよい。
【００２２】
少なくとも１つの細長い担体は、例えば、例として、少なくとも１つのＬＥＤストリップなどの、少なくとも１つの（ライト）ストリップを含んでもよい。
【００２３】
照明モジュールは、例えば、少なくとも第１の細長い担体及び第２の細長い担体を含んでもよい、少なくとも２つの細長い担体を備えてもよい。
【００２４】
第１のセットの発光要素及び第２のセットの発光要素は、異なる担体上で支持してもよい。例えば、第１のセットの発光要素は、第１の細長い担体上で支持してもよく、第２のセットの発光要素は、第２の細長い担体上で支持してもよい。
【００２５】
第１の細長い担体及び第２の細長い担体の各々は長手方向軸を有してもよい。発光要素の第１のセットの発光要素は、第１の細長い担体の長手方向軸と平行な第１の細長い担体上の少なくとも１つの連続体に（例えば、線又はストリング内に）配置してもよい。発光要素の第２のセットの発光要素は、第２の細長い担体の長手方向軸と平行な第２の細長い担体上の少なくとも１つの連続体に（例えば、線又はストリング内に）配置してもよい。
【００２６】
第１の細長い担体上の少なくとも１つの連続体に配置された発光要素の第１のセットの発光要素の全ては、電力を供給された時に、同じ波長範囲内の光を放射するように構成してもよい。代替的に、第１の細長い担体上の少なくとも１つの連続体に配置された発光要素の第１のセットの発光要素のうちの少なくとも１つ（又はいくつか）は、電力を供給された時に、第１の細長い担体上の少なくとも１つの連続体に配置された発光要素の第１のセットの少なくとも１つの他の発光要素とは異なる波長範囲内の光を放射するように構成してもよい。
【００２７】
代替的に、又は加えて、第２の細長い担体上の少なくとも１つの連続体に配置された発光要素の第２のセットの発光要素の全ては、電力を供給された時に、同じ波長範囲内の光を放射するように構成してもよく、又は第２の細長い担体上の少なくとも１つの連続体に配置された発光要素の第２のセットの発光要素のうちの少なくとも１つ（若しくはいくつか）は、電力を供給された時に、第２の細長い担体上の少なくとも１つの連続体に配置された発光要素の第２のセットのうちの少なくとも１つの他の発光要素とは異なる波長範囲内の光を放射するように構成してもよい。
【００２８】
発光要素の第１のセットの発光要素は、第１の細長い担体上の複数の連続体に（例えば、複数の線又はストリング内に）配置してもよい。複数の連続体の各々は第１の細長い担体の長手方向軸と平行であってもよい。発光要素の第２のセットの発光要素は、第２の細長い担体上の複数の連続体に（例えば、複数の線又はストリング内に）配置してもよい。複数の連続体の各々は第２の細長い担体の長手方向軸と平行であってもよい。
【００２９】
第１の細長い担体及び／又は第２の細長い担体上の発光要素の複数の連続体のそれぞれのものの内部の発光要素の全ては、電力を供給された時に、同じ波長範囲内の光を放射するように構成してもよい。第１の細長い担体及び／又は第２の細長い担体上の発光要素の複数の連続体の異なるものの内部の発光要素は、電力を供給された時に、異なる波長範囲内の光を放射するように構成してもよい。
【００３０】
発光要素の第１のセットの発光要素は、例えば、第１の細長い担体上の少なくとも３つの連続体に配置してもよい。少なくとも３つの連続体の各々は第１の細長い担体の長手方向軸と平行であってもよい。代替的に、又は加えて、発光要素の第２のセットの発光要素は第２の細長い担体上の少なくとも３つの連続体に配置してもよく、少なくとも３つの連続体の各々は第２の細長い担体の長手方向軸と平行であってもよい。
【００３１】
第１の細長い担体又は第２の細長い担体上の発光要素の少なくとも３つの連続体の異なるものの内部の発光要素は、例えば、電力を供給された時に、赤色、緑色、及び青色光をそれぞれ放射するように構成してもよい。
【００３２】
第１の細長い担体上の発光要素の複数の連続体は互いに対して千鳥状にされているか、又は千鳥状にされていなくてもよい。代替的に、又は加えて、第２の細長い担体上の発光要素の複数の連続体は互いに対して千鳥状にされているか、又は千鳥状にされていなくてもよい。
【００３３】
第１の細長い担体上の発光要素の複数の連続体のうちの１つの内部の発光要素の間のピッチ又は距離は、第１の細長い担体上の発光要素の複数の連続体のうちの別のもの（例えば、隣接したもの）の内部の発光要素の間のピッチ又は距離とは異なるか、又は同じであってもよい。同様に、第２の細長い担体上の発光要素の複数の連続体のうちの１つの内部の発光要素の間のピッチ又は距離は、第２の細長い担体上の発光要素の複数の連続体のうちの別のもの（例えば、隣接したもの）の内部の発光要素の間のピッチ又は距離とは異なるか、又は同じであってもよい。
【００３４】
本出願の文脈においては、発光要素の連続体が、担体、又は細長い担体の長手方向軸と平行であることによって、必ずしも、発光要素の連続体が長手方向軸と厳密に平行であることが意味されるわけではなく、発光要素の連続体を規定する軸と長手方向軸との間の小さい角度（例えば、１又は数度）が許容されてもよい。
【００３５】
上述されたように、照明モジュールは、例えば、少なくとも２つの細長い担体を備えてもよい。照明モジュールは、少なくとも２つの細長い担体の各々に結合し、それを支持するように構成してもよい、結合担体を備えてもよい。
【００３６】
結合担体は可撓性を有してもよく、その場合には、例えば、フレキシブルＰＣＢ若しくはフレックスフォイル又は同様のものを含んでもよく、あるいはそれは硬質であってもよく、その場合には、例えば、ＰＣＢ若しくは別の種類の硬質支持構造を含んでもよい。少なくとも２つの細長い担体のそれぞれ又は何れかは、例えば、可撓性を有してもよく、その場合には、例えば、フレキシブルＰＣＢ若しくはフレックスフォイル又は同様のものを含んでもよく、あるいはそれは硬質であってもよい。
【００３７】
少なくとも１つの細長い担体は、複数の発光要素を少なくとも１つの細長い担体の第１の面又は少なくとも１つの細長い担体の第１の面の上で支持するように構成してもよい。電力を複数の発光要素に提供するための少なくとも１つの導電体が少なくとも１つの細長い担体の第２の面に配置してもよい。電力を複数の発光要素に提供するための少なくとも１つの導電体を、少なくとも１つの細長い担体の第１の面とは異なる、少なくとも１つの細長い担体の第２の面に配置することによって、少なくとも１つの細長い担体の第１の面又はその上における導電体の必要性を低減又は全くなくすことができ、これは照明モジュールにおける色混合を促進することができる。これは、少なくとも１つの細長い担体の第１の面又は少なくとも１つの細長い担体の第１の面の上にある任意の導電体であって、第１の面に複数の発光要素が同様に存在する、任意の導電体が、照明モジュールの色混合能力に悪影響を及ぼし得るためである。更に、電力を複数の発光要素に提供するための少なくとも１つの導電体を、少なくとも１つの細長い担体の第１の面とは異なる、少なくとも１つの細長い担体の第２の面に配置することによって、照明モジュールは比較的小さいフォームファクタを有してもよい。しかし、場合によっては、導電体は少なくとも１つの細長い担体の第１の面又は少なくとも１つの細長い担体の第１の面の上に設けられることができるであろう。
【００３８】
少なくとも１つの細長い担体の第２の面に配置された少なくとも１つの導電体は、少なくとも１つの細長い担体の第１の面と少なくとも１つの細長い担体の第２の面との間の少なくとも１つの電気接続部又は複数の電気接続部を介して、複数の発光要素のうちの少なくとも１つ、いくつか、又は全てに接続してもよい。少なくとも１つの電気接続部は、例えば、１つ以上のビエ（vies）を含んでもよい。
【００３９】
上述されたように、発光要素の第１のセット及び／又は発光要素の第２のセットの発光要素は、少なくとも１つの連続体（例えば、線若しくはストリング内）、又は複数の連続体（例えば、複数の線若しくはストリング内）に配置してもよい。任意の連続体の発光要素は、例えば、直列に接続してもよい。発光要素の第１のセット内及び／又は発光要素の第２のセット内の発光要素の異なる連続体は、直列に、又は並列に接続してもよい。
【００４０】
任意の連続体（例えば、線又はストリング）内の発光要素の異なるものは、少なくとも１つの細長い担体の第１の面と少なくとも１つの細長い担体の第２の面との間のそれぞれの電気接続部を介して少なくとも１つの細長い担体の第２の面に配置された少なくとも１つの導電体に接続してもよい。電気接続部は、例えば、ビアを含んでもよい。発光要素は、上述されたように、例えば、ＬＥＤを含んでもよい。任意の連続体の発光要素の異なるものを、少なくとも１つの細長い担体の第１の面と少なくとも１つの細長い担体の第２の面との間のそれぞれの電気接続部を介して少なくとも１つの細長い担体の第２の面に配置された少なくとも１つの導電体に接続することによって、ＬＥＤの順方向電圧の制御を促進するか、又は可能にすることができる。
【００４１】
少なくとも１つの細長い担体は、例えば、例として、多層プリント回路板（ＰＣＢ）又は同様のものなどの、多層基板を含んでもよく、少なくとも１つの細長い担体の第２の面に配置された複数の発光要素に電力を提供するための少なくとも１つの導電体は、例えば、第２の面における多層基板の層上又は内の１つ以上の導電性トラック又はトレースを含んでもよい。
【００４２】
少なくとも１つの細長い担体の第１の面及び第２の面は少なくとも１つの細長い担体の反対の面であってもよい。
【００４３】
第１の態様に係る照明モジュールは、例えば、照明モジュールを少なくとも部分的に囲む電球などの光透過性管球容器を有し、照明モジュールが電球又は光透過性管球容器内に配置される照明デバイスにおける使用のために適してもよい。光透過性管球容器は、例えば、ガラス又はセラミックで作製してもよい。
【００４４】
第２の態様によれば、照明デバイスが提供される。照明デバイスは、例えば、ランプ、ライトエンジン、及び／又は照明器具を含んでもよい。照明デバイスは、第１の態様に係る照明モジュール、又は場合によっては、第１の態様に係るいくつかの照明モジュールを備える。
【００４５】
照明デバイスは、照明モジュールを少なくとも部分的に囲む光透過性管球容器を備えてもよい。光透過性管球容器は、照明モジュールが内部に配置される、流体的に密閉され、囲まれた空間を少なくとも部分的に規定してもよく、空間は、空気又は熱伝導性流体、例えば、ヘリウム及び／又は水素を含む気体を含むか、又はそれで満たされている。照明デバイスはランプソケットへの接続のためのベースを備えてもよい。ベースは、任意の好適な種類のコネクタ、例えば、エジソンねじ込み口金、バヨネット取り付け具、又は別の種類の接続を含むか、又はそれによって構成してもよい。照明デバイスは、例えば、何らかの適切なコネクタ、例えば、エジソンねじ込み口金、バヨネット取り付け具、あるいは、当該技術分野において既知の、ランプ又は照明器具に好適な別のタイプの接続を介して、ランプ又は照明器具のソケットに接続可能な、ＬＥＤ電球又はレトロフィットランプ内に含まれるか、あるいは、ＬＥＤ電球又はレトロフィットランプを構成してもよい。
【００４６】
代替的に、又は加えて、第１の態様に係る照明モジュールは、例えば、例として、１つ以上の熱パイプなどの、１つ以上の熱伝達デバイスを含む高出力線状光源において用いられてもよい。このような高出力線状光源では、照明モジュール、又は当該少なくとも１つの細長い担体は、高出力線状光源の少なくとも１つの熱伝達デバイスに接続又は結合してもよい。それゆえ、照明デバイスは、例えば、例として、１つ以上の熱パイプなどの、１つ以上の熱伝達デバイスを含む（高出力）線状光源を備えてもよく、照明モジュールは線状光源の少なくとも１つの熱伝達デバイスに接続又は結合してもよい。
【００４７】
代替的に、又は加えて、第１の態様に係る照明モジュールは、例えば、いわゆるパネルライトにおいて用いられてもよく、照明モジュールはパネルライトの内部に（例えば、パネルライトの空洞内に）配置してもよく、これにより、色調節可能な光を放射する能力を有するパネルライトが達成してもよい。それゆえ、照明デバイスは、例えば、パネルライトを備えてもよく、照明モジュール照明モジュールはパネルライトの内部に（例えば、パネルライトの空洞内に）配置してもよい。
【００４８】
照明モジュール及び／又は照明デバイスは、電源からの電気を、発光要素を動作させるか、又は駆動するために適した電気に変換する能力を有する回路機構を含んでもよい。回路機構は、少なくとも交流と直流とを変換し、電圧を、発光要素を動作又は駆動するための、好適な電圧に変換することが可能であってもよい。
【００４９】
照明デバイスは、少なくとも１つの細長い担体に接続されており、複数の発光要素への電力供給を制御するように構成された制御ユニットを備えてもよい。複数の発光要素への電力供給は、場合によっては、制御ユニットによって、個々に、又はグループごとに制御されることができてもよい。制御ユニットは、電力供給を発光要素の第１のセット又は発光要素の第２のセットへ選択的に制御するが、発光要素の第１のセット及び発光要素の第２のセットの両方へ同時に制御しないように構成してもよい。
【００５０】
制御ユニットのこの構成を記述する別の仕方は、制御ユニットが、複数の発光要素への電力供給を、第１のセットの発光要素のうちの少なくとも１つが光を放射している間には、第２のセットの発光要素のうちの何れも光を放射していないよう、及び第２のセットの発光要素のうちの少なくとも１つが光を放射している間には、第１のセットの発光要素のうちの何れも光を放射していないよう制御するように構成してもよい、である。
【００５１】
場合によっては、制御ユニットは少なくとも１つの照明モジュール内に備えられてもよい。いくつかの照明モジュールが設けられている場合には、制御ユニットは照明モジュールのうちの１つの内部に備えられてもよく、制御ユニットを備える照明モジュールは、場合によっては、他の照明モジュールに結合又は接続されている。場合によっては、いくつかの制御ユニットが存在することができ、各制御ユニットは、場合によっては、異なる照明モジュールのそれぞれのものの内部に備えられる。
【００５２】
制御ユニットは、例えば、複数の発光要素への電力供給を制御するため、及び／又は複数の発光要素の動作を制御するためのドライバ回路機構を含んでもよい。ドライバ回路機構は、例えば、複数の発光要素内に備えられるか、又は複数の発光要素を構成してもよい１つ以上のＬＥＤを駆動する（又は制御する）ように構成されたＬＥＤドライバ回路機構を含んでもよい。
【００５３】
制御ユニットは、例えば、少なくとも１つの制御信号若しくは制御メッセージ又は同様のものを発光要素へ伝送することを通じて、発光要素のそれぞれ又は何れかの動作を制御するように構成してもよい。
【００５４】
本発明の更なる目的及び利点が、例示的実施形態によって以下で説明される。本発明は、請求項に列挙される特徴の全ての可能な組み合わせに関するものである点に留意されたい。添付の請求項及び本明細書の説明を検討することにより、本発明の更なる特徴及び利点が明らかとなるであろう。当業者は、本明細書で説明される実施形態以外の実施形態を作り出すために、本発明の種々の特徴が組み合わせられることができる点を理解する。
【図面の簡単な説明】
【００５５】
本発明の例示的実施形態が、添付図面を参照して以下で説明される。
【図１】本発明の一実施形態に係る照明モジュールの部分の概略分解図である。
【図２】組み立てられた状態における、図１に示される照明モジュールの部分の斜視図である。
【図３】本発明の諸実施形態に係る照明デバイスの図である。
【図４】本発明の諸実施形態に係る照明デバイスの図である。
【００５６】
全ての図は、概略的であり、必ずしも正確な縮尺ではなく、全般的に、本発明の実施形態を明確化するために必要な部分のみを示しており、他の部分は、省略されるか又は単に示唆される場合がある。
【発明を実施するための形態】
【００５７】
以下に、本発明の例示的実施形態が示されている添付図面を参照して、本発明が以降で説明される。しかしながら、本発明は、多くの異なる形態で具現化されてもよく、本明細書に記載の、本発明の実施形態に限定されるものとして解釈されるべきではなく、むしろ、本発明のこれらの実施形態は、本開示が、本発明の範囲を当業者に伝えるように、例として提供されている。図面では、別段の指定のない限り、同一の参照数字は、同じ又は同様の機能を有する、同じ又は同様の構成要素を示す。
【００５８】
図１は、本発明の一実施形態に係る照明モジュール１の部分の概略分解図である。図２は、組み立てられた状態における、図１に示される照明モジュール１の部分の斜視図である。
【００５９】
図１及び図２に示される本発明の実施形態によれば、照明モジュール１は、少なくとも第１の細長い担体及び第２の細長い担体を含む、少なくとも２つの細長い担体を備え、図１及び図２には、第１の細長い担体２が示されている。第１の細長い担体２は、複数の発光要素３（図１には、発光要素のうちのいくつかのみが参照符号３によって指示されている）を支持するように構成されており、電力を複数の発光要素３に提供するように構成されている。第２の細長い担体（図１及び図２には示されていない）は第１の細長い担体２と同様である。第１の細長い担体２と全く同様に、第２の細長い担体は、複数の発光要素を支持するように構成されており、電力を複数の発光要素に提供するように構成されている。発光要素の第１のセットが第１の細長い担体２上で支持されており、発光要素の第２のセットが第２の細長い担体上で支持されている。
【００６０】
図１及び図２に示される本発明の実施形態によれば、照明モジュール１は、少なくとも第１の光学要素及び第２の光学要素を含む、少なくとも２つの光学要素を備え、図１及び図２には、第１の光学要素４が示されている。第１の光学要素４は第１の細長い担体２に結合されている。第１の光学要素４は、電力を供給された時に第１の細長い担体２の発光要素の第１のセットから放射された光を受光し、受光された光を拡散及び／又は散乱させることによって、受光された光を混合し、混合された光を出力するように構成してもよい。
【００６１】
第２の光学要素（図１又は図２には示されていない）は第１の光学要素４と同様であってもよい。第２の光学要素は第２の細長い担体に結合されている。第２の光学要素は、電力を供給された時に第２の細長い担体の発光要素の第２のセットから放射された光を受光し、受光された光を拡散及び／又は散乱させることによって、受光された光を混合し、混合された光を出力するように構成してもよい。
【００６２】
図１及び図２に示される本発明の実施形態によれば、第１の光学要素４は、第１の細長い担体２の発光要素の第１のセットが配置された第１の細長い担体２の面上に、並びに場合によっては、第１の細長い担体２の発光要素の第１のセット上に（１つ以上の中間光学構成要素を介して、直接若しくは間接的に）配置されている。例えば、第１の光学要素４は、例えば、光散乱要素、ルミネッセント材料、又は自身に入射若しくは衝突する光を拡散及び／若しくは散乱させるように構成された材料のうちの少なくとも１つを含んでもよい。例えば、光散乱要素は、光透過性基材内に埋め込まれているか、又は統合された光散乱粒子を含んでもよい。代替的に、又は加えて、自身に入射若しくは衝突する光を拡散及び／若しくは散乱させるように構成された光散乱要素、及び／若しくは材料は、Ａｌ２Ｏ３、ＢａＳＯ４及び／若しくはＴｉＯ２などの材料の層又はコーティングを含んでもよく、並びに／又は第１の光学要素４の表面は、例えば、粗い構造を呈するよう、拡散性に構成してもよい。光散乱要素は、光を散乱させ、及び／又は光を任意の好ましい方向に向けるよう意図された、光学表面構造から成ってもよい。
【００６３】
第２の光学要素は、例えば、以上において説明されたものなどの、第１の細長い担体４、及び第１の細長い担体４の発光要素の第１のセットに対して配置された第１の光学要素４と同様に、又は同じ仕方で、第２の細長い担体、及び第２の細長い担体の発光要素の第２のセットに対して配置してもよい。更に、第２の光学要素は、例えば、以上において説明されたものなど、第１の光学要素４と同様に、又は同じ仕方で構成してもよい。
【００６４】
第１の細長い担体２及び第２の細長い担体のそれぞれ又は何れかは、例えば、例として、少なくとも１つのフレキシブルＰＣＢ及び／又は多層ＰＣＢなどの、少なくとも１つのプリント回路板（ＰＣＢ）を含んでもよい。代替的に、又は加えて、第１の細長い担体２及び第２の細長い担体のそれぞれ又は何れかは、例えば、少なくとも１つのフレキシブル箔（例えば、「フレックスフォイル」）を含んでもよい。
【００６５】
図１に示されるように、第１の細長い担体２は、第１の細長い担体２を、例えば、電力源、又は制御ユニット及び／若しくはドライバ回路機構などの、１つ以上の他の構成要素のうちの少なくとも１つに接続するための１つ以上の電気接点５を含んでもよい。第２の細長い担体もまた、このような１つ以上の電気接点を備えてもよい。
【００６６】
第１の細長い担体２及び／若しくは第２の細長い担体上で支持された複数の発光要素のそれぞれ若しくは何れか１つ、又は第１の細長い担体２の発光要素の第１のセット及び／若しくは第２の細長い担体の発光要素の第２のセットの発光要素のそれぞれ若しくは何れか１つは、例えば、１つ以上の発光ダイオード（ＬＥＤ）を含むか、又は１つ以上の発光ダイオード（ＬＥＤ）によって構成してもよい。
【００６７】
第１のセット及び第２のセットの発光要素、並びに第１の光学要素４及び第２の光学要素は、第１のセットの発光要素が光を放射しており、第２のセットの発光要素が光を放射していない時には、第１の光学要素４から出力される光が第１の波長範囲内にあるよう、並びに第２のセットの発光要素が光を放射しており、第１のセットの発光要素が光を放射していない時には、第２の光学要素から出力される光が第２の波長範囲内にあるように構成してもよい。第２の波長範囲は第１の波長範囲とは異なってもよい。それゆえ、第１のセットの発光要素及び第２のセットの発光要素は、例えば、白色光及び有色光などの、照明モジュールから放射される異なる光をそれぞれ発生するために用いてもよい。
【００６８】
以上において説明されたように、発光要素の第１のセットは第１の細長い担体２上で支持されており、発光要素の第２のセットは第２の細長い担体上で支持されている。しかしながら、このことは必須ではない。例えば、代替的に、発光要素の第１のセット及び発光要素の第２のセットの両方が共通の（細長い）担体上で支持されることができるであろう。共通光学要素が共通担体に結合されることができ、共通光学要素は、電力を供給された時に発光要素の第１のセットから放射された光、及び電力を供給された時に発光要素の第２のセットから放射された光をそれぞれ受光し、受光された光を拡散及び／又は散乱させることによって、受光された光を混合し、混合された光を出力するように構成してもよい。第１のセット及び第２のセットの発光要素、並びに共通光学要素は、第１のセットの発光要素が光を放射しており、第２のセットの発光要素が光を放射していない時には、共通光学要素から出力される光が第１の波長範囲内にあるよう、並びに第２のセットの発光要素が光を放射しており、第１のセットの発光要素が光を放射していない時には、共通光学要素から出力される光が第２の波長範囲内にあるように構成されることができ、第２の波長範囲は第１の波長範囲とは異なる。場合によっては、別個の光学要素−例えば、第１の光学要素及び第２の光学要素−が、以上において図１及び図２を参照して説明されたものなどの、共通担体上の発光要素の第１のセット及び発光要素の第２のセットのためにそれぞれ提供されることができるであろう。
【００６９】
図２に示されるように、第１の細長い担体２は長手方向軸Ｌを有してもよい。同様に、第２の細長い担体は長手方向軸を有してもよい。
【００７０】
図１に示されるように、発光要素の第１のセットの発光要素３は、第１の細長い担体２上の、列、線、又はストリングなどの、複数の連続体に配置してもよい。例えば、発光要素の第１のセットの発光要素３は、図１に示されるように、互いに隣接して配置されており、各々が長手方向軸Ｌと平行である、３つの連続体に配置してもよい。第１の細長い担体２上の複数の連続体発光要素３の各々は第１の細長い担体２の長手方向軸Ｌと平行であってもよい。同様に、発光要素の第２のセットの発光要素は、第２の細長い担体上の、列、線、又はストリングなどの、複数の連続体に配置してもよい。例えば、発光要素の第２のセットの発光要素は、図１に示されている第１の細長い担体２上の発光要素の第１のセットの発光要素３と同様に、互いに隣接して配置されており、各々が長手方向軸Ｌと平行である、３つの連続体に配置してもよい。第２の細長い担体上の複数の連続体発光要素の各々は第２の細長い担体の長手方向軸と平行であってもよい。
【００７１】
場合によっては、第１の細長い担体２及び／又は第２の細長い担体上の発光要素の複数の連続体のそれぞれのものの内部の発光要素の全ては、電力を供給された時に、同じ波長範囲内の光を放射するように構成してもよい。換言すれば、発光要素の列、線、又はストリングなどの、発光要素の任意の連続体の発光要素の全ては、同じ色の光を放射するように構成してもよい。
【００７２】
しかし、第１の細長い担体２及び／又は第２の細長い担体上の発光要素の複数の連続体の異なるものの内部の発光要素は、電力を供給された時に、異なる波長範囲内の光を放射するように構成してもよい。換言すれば、発光要素の列、線、又はストリングなどの、発光要素の任意の連続体の発光要素の全ては、同じ色の光を放射するように構成してもよいが、異なる連続体の発光要素は、異なる色の光を放射するように構成してもよい。
【００７３】
例えば、図１及び図２に示される第１の細長い担体２を参照すると、互いに隣接して、長手方向軸Ｌに平行に配置された発光要素の第１のセットの発光要素の３つの連続体は、電力を供給された時に、赤色光、緑色光、及び青色光をそれぞれ放射するように構成された発光要素を含んでもよい。換言すれば、発光要素の３つの連続体のうちの第１のものの内部の発光要素の全ては、電力を供給された時に赤色光を放射するように構成してもよく、発光要素の３つの連続体のうちの第２のものの内部の発光要素の全ては、電力を供給された時に緑色光を放射するように構成してもよく、発光要素の３つの連続体のうちの第３のものの内部の発光要素の全ては、電力を供給された時に青色光を放射するように構成してもよい。照明モジュール１は、例えば、照明モジュール１を少なくとも部分的に囲む光透過性管球容器を有するフィラメントランプにおいて用いられてもよく、照明モジュールは光透過性管球容器内に１配置される。光透過性管球容器は、例えば、透明球を含んでもよい。
【００７４】
図３及び図４は、本発明の諸実施形態に係る照明デバイス２０の図である。照明デバイス２０の各々は、本発明の一実施形態に係る照明モジュール１を備える。
【００７５】
照明デバイス２０の各々は、照明モジュール１を少なくとも部分的に囲む光透過性管球容器１５を備えてもよい。光透過性管球容器１５は、照明モジュール１が内部に配置される、流体的に密閉され、囲まれた空間１６を少なくとも部分的に規定してもよく、空間１６は、空気又は熱伝導性流体、例えば、ヘリウム及び／又は水素を含む気体を含むか、又はそれで満たされている。照明デバイス２０の各々はランプソケットへの接続のためのベース１７を備えてもよい。ベース１７は、任意の好適な種類のコネクタ、例えば、エジソンねじ込み口金、バヨネット取り付け具、又は別の種類の接続を含むか、又はそれによって構成してもよい。
【００７６】
照明デバイス２０の各々は、例えば、何らかの適切なコネクタ、例えば、エジソンねじ込み口金、バヨネット取り付け具、あるいは、当該技術分野において既知の、ランプ又は照明器具に好適な別のタイプの接続を介して、ランプ又は照明器具のソケットに接続可能な、ＬＥＤ電球又はレトロフィットランプ内に含まれるか、あるいは、ＬＥＤ電球又はレトロフィットランプを構成してもよい。
【００７７】
当該技術分野において知られているように、照明モジュール１及び／又は照明デバイス２０は、電源からの電気を、発光要素を動作させるか、又は駆動するために適した電気に変換する能力を有する回路機構を含んでもよい。回路機構は、少なくとも交流と直流とを変換し、電圧を、発光要素を動作又は駆動するための、好適な電圧に変換することが可能であってもよい。回路機構は、例えば、ベース１７内に少なくとも部分的に配置してもよい。
【００７８】
図３及び図４に示される照明モジュール１の各々は、例えば、図１及び図２に示される照明モジュールの第１の細長い担体２に従って各々配置又は構成してもよい、少なくとも２つの第１の細長い担体２（図３及び図４には、少なくとも２つの第１の細長い担体２のうち２つが示されている）を備える。
【００７９】
更に、図３及び図４に示される照明モジュール１の各々は、例えば、以上において図１及び図２を参照して説明された第２の細長い担体に従って各々配置又は構成してもよい、少なくとも２つの第２の細長い担体８（図３及び図４には、少なくとも２つの第２の細長い担体８のうち１つのみが示されている）を備える。
【００８０】
図３及び図４に示される照明モジュール１の各々は、原則的に、任意の数の第１の細長い担体２及び任意の数の第２の細長い担体８を備えてもよいことを理解されたい。
【００８１】
図３及び図４に示される本発明の実施形態によれば、第１の細長い担体２及び第２の細長い担体８は照明デバイス２０の長手方向軸の周りに交互に配置されている。
【００８２】
図３及び図４に示される照明モジュール１の第１の細長い担体２及び第２の細長い担体８の各々は、図１及び図２に示される第１の細長い担体２、並びに以上において図１及び図２を参照して説明された第２の細長い担体と同様に、一方の面上で支持された複数の発光要素を含む。
【００８３】
図３及び図４に示されるように、照明デバイス２０内において照明モジュール１を支持する支持構造が設けられていてもよい。図３及び図４に示される本発明の実施形態によれば、支持構造は、ベース１７に接続されており、及び／又はそれによって支持されたステム若しくは円筒支持体１８又は同様のものを含む。ステム又は円筒支持体１８は、例えば、照明デバイス２０の長手方向軸に沿って延在してもよい。場合によっては、ステム又は円筒支持体１８から横方向に延在し、照明モジュール１のそれぞれ又は何れか１つに結合された、支持ロッド又は同様のもの（図３及び図４には示されていない）が存在してもよい。
【００８４】
図３に示される照明デバイス２０の照明モジュール１と比べて、図４に示される照明デバイス２０の照明モジュール１は結合担体２１を追加的に備える。結合担体２１は、第１の細長い担体２及び第２の細長い担体８の各々に結合し、それを支持するように構成されている。第１の細長い担体２及び第２の細長い担体８の各々は、複数の発光要素を支持するように構成してもよい。結合担体２１は、第１の細長い担体２及び第２の細長い担体８の各々の第１の面に隣接した、又はそれと一致した第１の面を有してもよい。更に、結合担体２１は、第１の細長い担体２及び第２の細長い担体８の各々の第２の面に隣接した、又はそれと一致した第２の面を有してもよい。結合担体２１は、例えば、硬質であってもよく、第１の細長い担体２及び第２の細長い担体８のそれぞれ又は何れかは可撓性を有するか、又は硬質であってもよい。結合担体２１は、例えば、硬質ＰＣＢ又は他の種類の硬質支持構造を含んでもよい。第１の細長い担体２及び第２の細長い担体８のそれぞれ又は何れかは、例えば、フレキシブルＰＣＢ若しくはフレックスフォイル又は同様のもの、あるいは硬質ＰＣＢ又は別の種類の硬質支持構造を含んでもよい。
【００８５】
図３及び図４に示される照明モジュール１の発光要素のうちの少なくともいくつかは、それぞれ、照明モジュール１の発光要素のうちの少なくともいくつかの動作に関して制御可能であってもよい。図３及び図４に示される照明デバイス２０のそれぞれ又は何れかは、２２において概略的に指示される、制御ユニット又はコントローラを備えてもよく、制御ユニット２２は通信要素及び発光要素と接続してもよい。制御ユニット２２と通信要素及び発光要素との間の接続は、それぞれ、例えば、当該技術分野において知られているとおりの無線及び／又は有線通信技法又は手段を採用した、有線式及び／又は無線式であってもよい。制御ユニット２２は、発光要素のうちの少なくともいくつかの動作を制御するように構成してもよい。制御ユニット２２は概略的に描かれていることを理解されたい。制御ユニット２２は、例えば、ベース１７内及び／又は空間１６内に配置されていることができるであろう。
【００８６】
例えば、制御ユニット２２は、複数の発光要素のうちの少なくともいくつかへの電力供給を制御するように構成してもよい。複数の発光要素への電力供給は、制御ユニット２２によって、個々に、又はグループごとに制御可能であってもよい。
【００８７】
図１及び図２を更に参照すると、発光要素の第１のセット及び発光要素の第２のセットをそれぞれ支持してもよい、第１の細長い担体２及び第２の細長い担体８に関して、制御ユニット２２は、例えば、電力供給を発光要素の第１のセット又は発光要素の第２のセットへ選択的に制御するが、発光要素の第１のセット及び発光要素の第２のセットの両方へ同時に制御しないように構成してもよい。
【００８８】
まとめると、複数の発光要素を支持するように構成されており、電力を複数の発光要素に提供するように構成された少なくとも１つの細長い担体を備える照明モジュールが開示される。複数の発光要素は、少なくとも、複数の発光要素を含む第１のセット、及び複数の発光要素を含む第２のセットを含む。照明モジュールは、少なくとも１つの細長い担体に結合されており、電力を供給された時に発光要素の第１のセットから放射された光、及び電力を供給された時に発光要素の第２のセットから放射された光をそれぞれ受光し、受光された光を拡散及び／又は散乱させることによって、受光された光を混合し、混合された光を出力するように構成された少なくとも１つの光学要素を備える。
【００８９】
本発明は、添付図面及び上記の説明において例示されているが、そのような例示は、説明的又は例示的なものであり、制限するものではないと見なされたく、本発明は、開示される実施形態に限定されるものではない。図面、本開示、及び添付の請求項の検討によって、開示される実施形態に対する他の変形形態が、当業者により理解されることができ、また、特許請求される発明を実施する際に実行されることができる。添付の請求項では、単語「備える（comprising）」は他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利に使用され得ないことを示すものではない。請求項中のいかなる参照符号も、範囲を限定するものとして解釈されるべきではない。
【図１】
2021519503.tif 000003
【図２】
2021519503.tif 000004
【図３】
2021519503.tif 000005
【図４】
2021519503.tif 000006
【国際調査報告】
2021519503.tif 000007
2021519503.tif 000008